(57)【要約】【課題】混合液から発生するガスを排出できるよう、混合容器に流体連通路を形成する中栓を具えた染毛剤塗布容器を提供すること。【解決手段】混合容器と、弁体を装着した中栓と、塗布体を取着した塗布体取付キャップとを具えた染毛剤塗布容器であって、中栓の基板下面に、嵌合筒から外方に延びるように突条を形成し、塗布体取付キャップの締着時に、混合容器の口筒部天面に凹条を付けるようにしたことを特徴とする。【選択図】　　　　図１
2004091000.tif 000002
【特許請求の範囲】
【請求項１】
混合容器と、弁体を装着した中栓と、塗布体を取着した塗布体取付キャップとを具えた染毛剤塗布容器であって、
中栓の基板下面に、嵌合筒から外方に延びるように突条を形成し、塗布体取付キャップの締着時に、混合容器の口筒部天面に凹条を付けるようにしたことを特徴とする染毛剤塗布容器。
【請求項２】
混合容器が、スクイズタイプの容器であって、
弁体が容器胴部の押圧に応じて染毛剤を吐出する吐出弁と、外気を吸込む吸込弁とを具備していることを特徴とする請求項１記載の染毛剤塗布容器。
【請求項３】
混合容器が、口筒部に空気導入孔を設けたデラミ容器であることを特徴とする請求項１、２記載の染毛剤塗布容器。
【発明の詳細な説明】
【０００１】
【発明の属する技術分野】
本発明は、染毛剤塗布容器、とくに染毛剤混合容器に流体連通路の形成を可能とした中栓に関する。
【０００２】
【従来の技術】
二液の染毛剤を混合容器に入れて混合し、容器の一部に櫛付キャップを取着して毛髪に塗布することは従来より周知であり、塗布後には、櫛を取外して洗滌し、残った混合液を捨てるようにしている。
【０００３】
【発明が解決しようとする課題】
しかしながら、混合液をすぐに捨てられないときに、残った混合液を入れたまま混合容器にねじキャップをしておくことがある。
速やかに混合液を捨てれば問題はないが、混合液を捨て忘れてそのまま放置される場合がある。
そうした場合に、混合液からガスが発生して混合容器の内圧が上昇し、容器が変形したり、ときには破損するおそれさえあった。
【０００４】
本発明は、上記の問題を解決することを課題とし、混合液から発生するガスを排出できるよう、混合容器に流体連通路を形成する中栓を具えた染毛剤塗布容器を提供することを目的とする。
【０００５】
【課題を解決するための手段】
本発明は、上記の課題を解決するため、染毛剤塗布容器として、混合容器と、弁体を装着した中栓と、塗布体を取着した塗布体取付キャップとを具えた染毛剤塗布容器であって、中栓の基板下面に、嵌合筒から外方に延びるように突条を形成し、塗布体取付キャップの締着時に、混合容器の口筒部天面に凹条を付けるようにしたことを特徴とする構成を採用する。
【０００６】
具体的な実施形態として、混合容器が、スクイズタイプの容器であって、弁体が容器胴部の押圧に応じて染毛剤を吐出する吐出弁と、外気を吸込む吸込弁とを具備していることを特徴とする構成、或いは、混合容器が、口筒部に空気導入孔を設けたデラミ容器であることを特徴とする構成を採用する。
【０００７】
【発明の実施の形態】
次に、本発明の第１実施形態の櫛形状の塗布体について、図面を参照して説明する。
図１において、Ａは染毛剤の第１液を収納し、使用時に第２液を混合する混合容器で、デラミ容器が用いられる。
Ｂは弁体Ｃを装着した中栓、Ｄは櫛取付キャップ（塗布体取付キャップ）、Ｅは櫛取付キャップＤに取着された櫛体（塗布体）である。
【０００８】
図１，２に示すように、デラミ容器の混合容器Ａは、外側層１と該外側層１に剥離自在として積層された内側層２とを有し、口筒部３と該口筒部３に続く肩部４、胴部５と底部６とからなっている。
外側層１は、押圧操作によって変形されるとともに、押圧を解いた時に復元され、容器の外観形状を維持するものであり、内側層２は、外側層１から剥離自在かつ変形自在の内袋である。
【０００９】
前記口筒部３外周には、上下方向に切欠部７を設けたねじ８が刻設されており、切欠部７の下方には、外側層１と内側層２との間に大気を導入する空気導入孔９が、外側層１に穿孔されている。
口筒部３の天面１０には、天面１０を被うよう内側層２により係止部が形成されており、内側層２の沈み込みを防ぐようにしている。
肩部４は、口筒部３に続く肩周壁１１を有しており、胴部５は、円形もしくは楕円形となっている。
【００１０】
図３に示すように、中栓Ｂは中央部に弁孔１５を穿設した基板１６と、該基板１６の外周から立設する側筒１７とを具えている。
基板１６の上面には、側筒１７の内側に弁体支持筒１８が立設されている。
基板１６の下面には、容器口筒部３内周に嵌着され、容器内部を密封する嵌合筒１９が垂設されており、嵌合筒１９の根元部外周から外方に向かって放射状に延びる山型断面の複数の突条２０が垂設されている。
基板１６の周縁の所定個所には、側筒１７の一部を削り、側筒１７の内周と基板１６周縁下面とを連通させる連通孔２１が穿設されている。
【００１１】
弁体Ｃは、柔軟な合成樹脂、またはエラストマーによって成形されており、基筒２２と、該基筒２２の下端部内周に形成された吐出弁２３と、上端部外周に形成された吸込弁２４とからなっている。
基筒２２は、中栓Ｂの弁体支持筒１８の内周に保持されており、吐出弁２３は基板１６上面を弁座として基板１６に接圧されている。
【００１２】
図４に示すように、櫛取付キャップＤは、嵌着筒３０と、上壁３２と、その中央開口部の周縁に沿って立設した櫛支持筒３１とを有している。
嵌着筒３０の内周には、上部に中栓支持面３３が配設され、その内周下端には、膨出環３４が設けられている。
中栓支持面３３の下方には、容器口筒部３のねじ８に螺合するねじ３５が刻設されており、ねじ３５刻設面の下部は拡径されて、肩部係合面３６が形成されている。
【００１３】
肩部係合面３６には、膨出環３７が設けられ、ねじ締付け後に、前記肩周壁１１との間を密封するようにしている。
上壁３２の所定個所には、外気取入孔３８が穿孔されており、外気取入孔３８周辺の上壁３２下面は、吸込弁２４の弁座となっている。
【００１４】
櫛支持筒３１は、上壁３２の内周縁より上方に延びており、上壁３２内周縁下面には、前記弁体支持筒１８の係止部３９が設けられている。
係止部３９の上方には、内方に突出する係止環４０が設けられている。
【００１５】
櫛体Ｅは、基体５０と基体５０に取着された櫛歯体５１とからなっており、基体５０は、その下端部に取付筒５２を有している。
基体５０の内部は、液流路５３となっており、取付筒５２の下端外周には、前記櫛支持筒３１の係止環４０に係合するよう膨出部５４が設けられている。
【００１６】
櫛歯体５１は、内部に流路孔を設け、所定位置に吐出孔５５を設けた多数の櫛歯５６と、各櫛歯５６を連結する連結板５７とからなっており、各櫛歯５６の根元部は、基体５０に設けられた挿入孔に嵌挿され、連結板５７の根元側の側面は、基体５０の側面に接合されている。
【００１７】
次に、本櫛付塗布容器の使用態様と構成に基づく作用効果について説明する。染毛剤としては、毛髪を所望の色に均一に染めるものや、毛髪を脱色するもの、毛髪を脱色した後に所望の色に染めるもの等、種々のタイプのものが使われている。
そして、染毛にあたっては、染毛剤の二液混合液が用いられるが、場合によって三液以上の混合液を用いることもある。
【００１８】
染毛に二液混合液を用いる場合、混合容器Ａには、内容液として、染毛剤の第１液が収納されており、図６に示すキャップＦによりパッキンＰを介して被蓋されている。
パッキンＰとしては、図示したような円板状のもの以外に、環状のパッキン、コンタクトリングでもよく、その素材については、シール性を有するとともに口筒部３天面１０に形成される凹条を塞がないだけの硬さを有するものであればよい。
【００１９】
前記第１液を収納しキャップＦを被蓋した混合容器Ａは、第２液を収納しキャップＦを被蓋した容器、および弁体Ｃ、中栓Ｂ、櫛体Ｅをセットして一体化した櫛取付キャップＤとともに市場に提供される。
【００２０】
使用にあたっては、各容器のキャップＦを取外し、第２液を第１液を収納した混合容器Ａに入れ、キャップＦを再び被蓋し、混合容器Ａを振って二液を混合し、次いで、キャップＦに取り替え、櫛取付キャップＤを取着する。
【００２１】
図５に示すように、櫛取付キャップＤの取付にあたって、櫛取付キャップＤを混合容器Ａの口筒部３に締付けていくと、中栓Ｂの突条２０が混合容器Ａの口筒部３天面１０に喰い込み、天面内周縁においては、突条２０の根本部で天面１０の一定角度が引欠けられ、外周縁においては、突条２０先端が押しつけられ、わずかの角度が引欠けられることによって、天面１０に内側から外側に通じる凹条５８が形成される。
【００２２】
混合容器Ａの胴部５を押圧すると、内圧の上昇により吐出弁２３が開かれ、混合容器Ａ内の染毛液が、基体５０内の液流路５３を通って各櫛歯５６に送られ、それぞれの吐出孔５５より吐出される。
次いで、押圧が解かれると、容器胴部５が復元し混合容器Ａ内が減圧され、減圧に応じて、吐出弁２３は閉じられ、吸込弁２４は開かれ、外気取入孔３８から外気が吸い込まれ、中栓Ｂの連通孔２１、容器口筒部３のねじ８の切欠部７を通じて、空気導入孔９に導入される。
【００２３】
空気導入孔９から内側層２と外側層１との間に大気が導入され、内側層２が剥離され剥離層が形成される。
外側層１が完全に復元し、剥離層内の内圧が外気と等しくなると、空気の流通がなくなり、吸込弁２４が閉じられる。
【００２４】
次に、混合容器Ａの胴部５を再押圧すると混合容器Ａ内の内圧が高くなるが、剥離層内の空気は吸込弁２４が閉じられているので排出されることはなく、内圧の上昇に応じて吐出弁２３が開かれ、内容物が各櫛歯５６の吐出孔５５より吐出される。
かくして、混合容器Ａの押圧に応じ、押圧量に応じた染毛液が吐出される。
【００２５】
染毛が終了したときには、櫛取付キャップＤを取外して洗滌し、混合液を捨てる。
もし、すぐに捨てられない場合には、図６に示すように、キャップＦを被蓋しておいてもよい。
その際、口筒部天面１０に付された凹条５８によって、流体連通路が形成されているから、ガスの発生によって内圧が上昇しても流体連通路を介して内部のガスが外に放出されるので、混合容器Ａが、変形したり、破損したりしない。
また、混合液の残量が多い場合に、混合液の種類によっては、混合液がガスとともに液体連通路を通じて排出されることもある。
【００２６】
前記実施形態では、ねじ式の櫛取付キャップＤを用いて容器口筒部３に螺合するようにしたが、打栓式の櫛取付キャップと混合容器を用いて、櫛取付キャップを容器口筒部に打栓するようにしてもよい。
その際には、中栓Ｂの突条２０が混合容器Ａの口筒部３天面１０に押しつけられることによって三角形状のくぼみとなり、天面１０に内側から外側に通じる凹条５８が形成され、実施形態と同様の作用効果を得ることができる。
【００２７】
次に第２実施形態について説明する。
前記実施形態では、混合容器にデラミ容器を用いているが、混合容器については、デラミ容器の他にスクイズ可能な押出容器を用いてもよい。
【００２８】
第２実施形態は、スクイズタイプの押出容器を用いたものである。
以下、相違点を中心に説明する。
図７において、Ａａはスクイズタイプの混合容器、Ｂａは弁体Ｃａを装着した中栓、Ｄａは櫛取付キャップ、Ｅａは櫛取付キャップに取着された櫛体である。
【００２９】
混合容器Ａａは、口筒部６０、肩部６１と胴部６２、底部とからなり、口筒部６０外周には、上下方向に切欠部６３を設けたねじ６４が螺設され、その下方にネックリングが設けられている。
胴部６２は、円形または楕円形の断面を有し、スクイズ可能とされている。
【００３０】
中栓Ｂａは、図８に示すように、前実施形態と同様に、中央部に弁孔７０を穿設した基板７１と側筒７２、基板７１上面に立設された弁体支持筒７３を具えている。
基板７１の下面には、口筒部６０内周に嵌合する嵌合筒７４が垂設されており、嵌合筒７４の根元部外周から外方に向かって放射状に延びる断面山型の複数の突条７５が垂設されている。
基板７１の弁体支持筒７３と嵌合筒７４との間には、透孔７６が穿孔されている。
【００３１】
弁体Ｃａは、前記実施形態とは同じく、基筒７７と吐出弁７８と吸込弁７９とを具えており、基筒７７は、弁体支持筒７３に嵌着され、基板７１上に支持されている。
【００３２】
図９に示すように、櫛取付キャップＤａは、嵌合筒８０と、上壁８２と、その中央部に立設した櫛支持筒８１を具えており、嵌合筒８０内周には、上端に中栓保持部８３が形成され、下方には、ねじ８４が螺設されている。
櫛支持筒８１の内周下端には、弁体Ｃａの支持部が設けられ、その上方の所定位置には、膨出環８５が設けられている。
上壁８２には、櫛支持筒８１外周近くに外気取入孔８６が穿孔されている。
【００３３】
櫛体Ｅａは、基体９０と基体９０に取着され櫛歯体９１とからなり、基体９０の内部は、液流路９２となっている。
基体９０の下端部は取付筒部９３となっており、その下端には、膨出環９４が設けられ、櫛取付キャップＤａの櫛支持筒８１に嵌着されるようになっている。櫛歯体９１は、所定個所に吐出孔９５を設けた流路孔を有する多数の櫛歯９６によって形成されている。
【００３４】
次に、本第２実施形態の塗布容器の使用態様と作用効果について説明する。
使用にあたって、前記実施形態と同様に混合容器Ａａに第１液と第２液を入れ、キャップＦａを締着して、混合容器Ａａを振って二液を混合し、次いで、キャップＦａに取り替え、櫛取付キャップＤａを取着する。
図１０に示すように、櫛取付キャップＤａの締着にあたっては、中栓Ｂａの突条７５が容器の口筒部天面６０ａに凹条９７を形成させ、ガスや混合液等の流体連通路を形成することになる。
【００３５】
染毛にあたって、混合容器Ａａの胴部６２を押圧することによって吐出弁７８が開かれ、混合液は櫛体Ｅａに送られ、各櫛歯９６の吐出孔９５より吐出される。　押圧を解くと、胴部６２の復元により内圧が下がり、吸込弁７９が開かれ、大気が導入される。
【００３６】
染毛が終了したとき、前記第１実施形態と同様に、櫛取付キャップＤａを取外して洗滌し、混合液を捨てるが、捨てる前にキャップＦａをしておいても、図１１に示すように、口筒部天面６０ａに形成された流体連通路から発生したガスが放散されるので、混合容器Ａａの内圧上昇により、混合容器Ａａが変形したり、破損することはない。
また、混合液の残量が多い場合に、混合液の種類によっては、混合液がガスとともに液体連通路を通じて排出されることもある。
【００３７】
前記各実施形態では、塗布体として櫛を用いたが、櫛に代え、ブラシ、または塗布ノズルを用いることもできる。
【００３８】
【発明の効果】
染毛剤塗布容器の中栓に、混合容器口筒部天面に凹条を付けるための突条を設けたから、染毛にあたって、櫛取付キャップを締付けた場合に、口筒部天面に凹条が付けられ、櫛取付キャップを取外した場合に、流体連通路が形成される。
したがって、混合容器にキャップをし、放置しておいても、発生したガスが流体連通路を通じて外部に放散されるので、混合容器が変形したり、破損することがなくなった。
【図面の簡単な説明】
【図１】本発明の塗布容器の一部断面正面図である。
【図２】混合容器の説明図で、（ａ）は上面図、（ｂ）は一部断面正面図である。
【図３】弁体を装着した中栓の説明図で、（ａ）は一部断面正面図、（ｂ）は底面図、（ｃ）は要部の拡大説明図である。
【図４】櫛体を取着した櫛取付キャップの一部断面正面図である。
【図５】櫛取付キャップを取着した混合容器の中栓部分の詳細図である。
【図６】櫛取付キャップを取外し、キャップを被蓋したときの説明図である。
【図７】別実施形態の一部断面正面図である。
【図８】弁体を装着した中栓の説明図で、（ａ）は一部断面正面図、（ｂ）は底面図、（ｃ）は要部の拡大説明図である。
【図９】櫛体を取着した櫛取付キャップの一部断面正面図である。
【図１０】櫛取付キャップを取着した混合容器の中栓部分の詳細図である。
【図１１】櫛取付キャップを取外し、キャップを被蓋したときの説明図である。
【符号の説明】
Ａ、Ａａ　　　混合容器
Ｂ、Ｂａ　　　中栓
Ｃ、Ｃａ　　　弁体
Ｄ、Ｄａ　　　櫛取付キャップ
Ｅ、Ｅａ　　　櫛体
Ｆ、Ｆａ　　　キャップ
Ｐ　　　　　　パッキン
１　　　　　　外側層
２　　　　　　内側層
３、６０　　　口筒部
４、６１　　　肩部
５、６２　　　胴部
７、６３　　　切欠部
８、６４　　　ねじ
９　　　　　　空気導入孔
１０、６０ａ　天面
１１　　　　　肩周壁
１６、７１　　基板
１７、７２　　側筒
１８、７３　　弁体支持筒
１９、７４　　嵌合筒
２０、７５　　突条
２１　　　　　連通孔
２２、７７　　基筒
２３、７８　　吐出弁
２４、７９　　吸込弁
３０、８０　　嵌着筒
３１、８１　　櫛支持筒
３２、８２　　上壁
３８、８６　　外気取入孔
５０、９０　　基体
５１、９１　　櫛歯体
５３、９２　　液流路
５５、９５　　吐出孔
５６、９６　　櫛歯
５８、９７　　凹条
７６　　　　　透孔
【図１】
2004091000.tif 000003
【図２】
2004091000.tif 000004
【図３】
2004091000.tif 000005
【図４】
2004091000.tif 000006
【図５】
2004091000.tif 000007
【図６】
2004091000.tif 000008
【図７】
2004091000.tif 000009
【図８】
2004091000.tif 000010
【図９】
2004091000.tif 000011
【図１０】
2004091000.tif 000012
【図１１】
2004091000.tif 000013